(57)【要約】      （修正有）【課題】簡易な構成で収容率を向上させた什器用枠体及び什器を提供する。【解決手段】収容物Ｍを吊支する吊支部材６０を係合させる本体支持枠と、本体支持枠の両側に形成される被固定部５１１と、本体支持枠から上方へ延設された後に前方へ屈曲伸長された複数の第１側杆（側杆５２１）と、第１側杆の先端同士を接続するラベル支持杆５２２とを含むラベル支持枠５２と、を備える。【選択図】図１
0003218002.tif 000002
【実用新案登録請求の範囲】
【請求項１】
収容物を吊支する吊支部材を係合させる本体支持枠と、
前記本体支持枠の両側に形成される被固定部と、
前記本体支持枠から上方へ延設された後に前方へ屈曲伸長された複数の第１側杆と、該第１側杆の先端同士を接続するラベル支持杆とを含むラベル支持枠と、
を備えることを特徴とする什器用枠体。
【請求項２】
前記本体支持枠は、上支持杆と、該上支持杆と並設される下支持杆と、前記上支持杆及び前記下支持杆を上下に接続する接続杆とを有することを特徴とする請求項１に記載の什器用枠体。
【請求項３】
前記本体支持枠から下方へ延設された後に前方に屈曲伸長された複数の第２側杆と、該第２側杆同士を接続する抑え杆とを含む吊支部材抑え枠を備えることを特徴とする請求項１又は請求項２に記載の什器用枠体。
【請求項４】
前記被固定部は、左右に長尺の長孔が形成された板状に形成されることを特徴とする請求項１乃至請求項３の何れかに記載の什器用枠体。
【請求項５】
請求項１乃至請求項４の何れかに記載の什器用枠体と、
前記被固定部と固定される固定部を前端側に有するステーと、
を備え、
前記什器用枠体及び前記ステーを組み合わせた棚枠を上下に複数配置させ、下側の前記棚枠の前記ステーが、上側の前記棚枠の前記ステーよりも前方に長く形成される、
ことを特徴とする什器。
【請求項６】
前記上側の前記棚枠において係合された前記吊支部材は、前記下側の前記棚枠の前記本体支持枠よりも前方へ延設されたフック部を有することを特徴とする請求項５に記載の什器。
【考案の詳細な説明】
【技術分野】
【０００１】
本考案は、什器用枠体及び什器に関する。
【背景技術】
【０００２】
従来から、多量の商品を陳列するために商品を吊り下げる形式の什器用の陳列具が普及している。例えば、特許文献１の商品吊り下げ陳列具は、商品名、価格等を表示する表示体を支持するための上方バーと、商品を吊り下げるための下方バーを上下にほぼ平行に並設し、上方バーを下方バーよりも長く設定している。
【先行技術文献】
【特許文献】
【０００３】
【特許文献１】実用新案登録第３０７９６９６号
【考案の概要】
【考案が解決しようとする課題】
【０００４】
特許文献１のような商品吊り下げ陳列具は、商品の収容率を上げるために上下に多段配置されることがある。しかしながら、陳列具に吊り下げられる商品の大きさは異なる場合があるため、商品同士又は商品と陳列具が干渉しないように陳列具を詰めて配置すると、陳列具の配置構成を個々に設定する手間が生じる。一方で、陳列具の位置を、上方や側方に吊り下げられた商品と干渉しないように十分離して配置すると商品の収容率が低下する場合がある。
【０００５】
本考案は、以上の点に鑑み、簡易な構成で収容率を向上させた什器用枠体及び什器を提供することを目的とする。
【課題を解決するための手段】
【０００６】
本考案に係る什器用枠体は、収容物を吊支する吊支部材を係合させる本体支持枠と、前記本体支持枠の両側に形成される被固定部と、前記本体支持枠から上方へ延設された後に前方へ屈曲伸長された複数の第１側杆と、該第１側杆の先端同士を接続するラベル支持杆とを含むラベル支持枠と、を備えることを特徴とする。
【０００７】
本考案に係る什器は、上述の什器用枠体と、前記被固定部と固定される固定部を前端側に有するステーと、を備え、前記什器用枠体及び前記ステーを組み合わせた棚枠を上下に複数配置させ、下側の前記棚枠の前記ステーは、上側の前記棚枠の前記ステーよりも前方に長く形成される、ことを特徴とする。
【考案の効果】
【０００８】
本考案によれば、簡易な構成で収容率を向上させた什器用枠体及び什器を提供することができる。
【図面の簡単な説明】
【０００９】
【図１】本考案の実施形態に係る什器の側面図である。
【図２】本考案の実施形態に係る什器の正面図である。
【図３】本考案の実施形態に係る什器の平面図である。
【図４】本考案の実施形態に係るステーの斜視図である。
【図５】本考案の実施形態に係る枠体の斜視図である。
【考案を実施するための形態】
【００１０】
次に、本考案の実施形態を説明する。図１、図２及び図３は、それぞれ什器１０の側面図、正面図及び平面図を示している。什器１０は、基部２０と、基部２０の上方に延設される柱部３０と、柱部３０に取り付けられた支持部材であるステー４０と、ステー４０の先端部に取り付けられる枠体５０とを備える。なお、以下の説明において、枠体５０が設けられる側を前、その反対側を後とし、基部２０が設けられる側を下、その反対側を上とする。また、什器１０の後方から見た左側を左、その反対側を右とする。
【００１１】
柱部３０は、図３に示すように、基部２０の後方側における左右両側の２箇所に設けられる。本実施形態の柱部３０は略四角柱状に形成される。柱部３０の内部は中空に形成されており、柱部３０の前面側には上下方向に長尺の複数の長孔３１が形成される（図２も参照）。各長孔３１は上下方向に列を成すように配置される。
【００１２】
本実施形態では、枠体５０が上下に２段配置されており、下方に配置される枠体５０を支持するステー４０Ｂ１，４０Ｂ２は、上方に配置される枠体５０を支持するステー４０Ａ１，４０Ａ２よりも前方へ長く形成される（図１及び図３参照）。
【００１３】
ステー４０Ｂ２（４０）の構成について、図４を参照しながら説明する。ステー４０Ｂ２は、略一定幅で前後に延設された長矩形板状の本体部４１を備える。本体部４１の一端側である前端には固定部４２が形成され、本体部４１の他端側である後端には柱部３０と係合する複数の係合部４３Ａ，４３Ｂが形成される。固定部４２は、図２及び図３に示すように本体部４１の前端から略直角に屈曲した略矩形板状に形成される。固定部４２の先端縁４２ａ側の上方及び下方の角部４２ｂ，４２ｃは、各々凸湾曲状に形成される。また、固定部４２の上下方向略中央であってやや先端縁４２ａ側には円形の貫通孔４２１が形成される。左側のステー４０Ａ２，４０Ｂ２の固定部４２は、ステー４０Ａ１，４０Ｂ１が配置される右側へ屈曲して延設され、右側のステー４０Ａ１，４０Ｂ１の固定部４２は、ステー４０Ａ２，４０Ｂ２が配置される左側へ屈曲して延設される（図３参照）。
【００１４】
係合部４３Ａ，４３Ｂは、本体部４１の後端の２箇所に形成される。上側の係合部４３Ａは、その上端縁４３１が本体部４１の上端縁４１１と連続するように配置される。係合部４３Ａは、後方へ向かって延設した後に下方へ略直角に屈曲する側面視略Ｌ字状に形成される。係合部４３Ａの先端縁４３２は、ステー４０Ｂ２の後方から前方へ向かって漸次下方に傾斜するように形成される。係合部４３Ａの先端側と、本体部４１との間には、切欠部４３３が形成される。切欠部４３３は上下方向に長尺の略長矩形状に形成される。また、切欠部４３３の本体部４１側の内縁４３３ａは、本体部４１の後端縁４１２よりも前方側（固定部４２側）に形成される。内縁４３３ａと後端縁４１２とは略平坦な傾斜部４３３ｂを介して接続される。なお、係合部４３Ｂは、係合部４３Ａと同様の形状で構成される。
【００１５】
また、図４の二点鎖線に示すように、本体部４１の下縁には、本体部４１の長尺方向に亘って延設される長矩形状の鍔部４１３を設けてもよい。鍔部４１３は本体部４１の下端を固定部４２と同じ方向に略９０度折り曲げられて形成される。鍔部４１３の後端縁４１３ａは本体部４１の後端縁４１２と同一面上に形成される。また、鍔部４１３の前端縁４１３ｂと、固定部４２との間には僅かな間隙が形成される。鍔部４１３を設けることで本体部４１の剛性を簡易な構成で向上させることができる。
【００１６】
図１及び図３において、上側のステー４０Ａ１，４０Ａ２の本体部４１は、下側のステー４０Ｂ１，４０Ｂ２の本体部４１よりも短く形成される。ステー４０Ａ１及びステー４０Ａ２は左右対称形状であり、ステー４０Ｂ１及びステー４０Ｂ２も左右対称形状である。
【００１７】
枠体５０は、図５に示すように、左右方向に長尺の本体支持枠５１と、この本体支持枠５１の上方に設けられるラベル支持枠５２と、本体支持枠５１の下方に設けられる吊支部材抑え枠５３とを備える。
【００１８】
本体支持枠５１は、収容物Ｍを吊支する吊支部材６０（図１参照）を係合させることができる。本体支持枠５１は、両側に被固定部５１１を有する。本体支持枠５１は、上支持杆５１２と、この上支持杆５１２と並設される下支持杆５１３とを有する。また、本体支持枠５１は、上支持杆５１２及び下支持杆５１３を上下に接続する接続杆５１４ａ，５１４ｂ，５１４ｃを有する。
【００１９】
さらに、本体支持枠５１は、右側の接続杆５１４ａと左側の接続杆５１４ｃとに亘って中間支持杆５１５を備える。中間支持杆５１５は、中央の接続杆５１４ｂと略直交するように、上支持杆５１２及び下支持杆５１３の間に配置される。中間支持杆５１５は、各接続杆５１４ａ，５１４ｂ，５１４ｃの背面側と接続される。
【００２０】
被固定部５１１は、略矩形板状に形成される。被固定部５１１の中央付近には、左右方向に長尺で前後に貫通する長孔５１１ａが形成される。長孔５１１ａには雄螺子部を有する適宜の締結具Ｓ１（図２参照）を前方側から挿入することができ、ステー４０の固定部４２の貫通孔４２１の後方に固定されたナット等の雌螺子部を有した被締結具に挿入させることで、被固定部５１１と固定部４２とを固定することができる。被固定部５１１は、後述の側杆５２１，５３１の背面側と接続される。なお、貫通孔４２１は雌螺子部を有してもよく、締結具Ｓ１と螺合可能な構成としてもよい。
【００２１】
ラベル支持枠５２は、上支持杆５１２と、該上支持杆５１２から上方へ延設された後に前方へ屈曲伸長された２本の側杆５２１（第１側杆）と、該側杆５２１の先端同士を接続するラベル支持杆５２２とにより形成される。ラベル支持枠５２の全体は図１の側面視略Ｌ字状に形成される。なお、図２等においては、ラベル支持枠５２が側杆５２１を２本有する例について示しているが、上支持杆５１２とラベル支持杆５２２を接続する側杆５２１は複数設けられてもよい。
【００２２】
吊支部材抑え枠５３は、下支持杆５１３と、該下支持杆５１３から下方へ延設された後に前方へ湾曲伸長された２本の側杆５３１（第２側杆）と、該側杆５３１の先端同士を接続する抑え杆５３２とにより形成される。そのため、吊支部材抑え枠５３は、全体が図１の側面視略Ｌ字状に形成される。
【００２３】
なお、ラベル支持枠５２及び吊支部材抑え枠５３に含まれる、側杆５２１，５３１、ラベル支持杆５２２及び抑え杆５３２は、閉環状の一体の枠体５４１として形成される。また、被固定部５１１は、枠体５４１のうち上下方向に延設される部分の背面に接続される。上支持杆５１２と下支持杆５１３の両端は、被固定部５１１の前方において、枠体５４１の正面側と接続される。なお、枠体５０の各部材は、金属を母材として表面塗装を施して形成することができる。
【００２４】
次に、什器１０の使用例について説明する。本実施形態の什器１０は、図１に示すように、枠体５０及びステー４０を組み合わせた棚枠７０（７０Ａ，７０Ｂ）を、柱部３０の任意の上下位置に複数配置させることができる。下側の棚枠７０Ｂのステー４０Ｂ１，４０Ｂ２は、上側の棚枠７０Ａのステー４０Ａ１，４０Ａ２よりも前方に長く形成されるため、下側の枠体５０は上側の枠体５０よりも下方且つ前方に配置される。
【００２５】
図１のＡ部拡大図に示すように、ステー４０Ａ１（４０）は、柱部３０の長孔３１内に係合部４３Ａ（４３）が挿入されることで、柱部３０に固定される。長孔３１の上下方向の長軸幅は、上端縁４３１と先端縁４３２の下端との幅よりも長く形成される。上側の係合部４３Ａと下側の係合部４３Ｂが、各長孔３１内に挿入されると、柱部３０の前面３０１がステー４０Ａ１（４０）の後端縁４１２を当接支持する。また、ステー４０Ａ１（４０）が前方へずれ動いても柱部３０の内面３０２が切欠部４３３の係合部４３側の内縁４３３ｃと当接するため、ステー４０Ａ１（４０）の脱落が防止される。このようにステー４０Ａ１（４０）は柱部３０に対して固定させることができる。
【００２６】
本体支持枠５１には図１等に示すように吊支部材６０が配置される。本実施形態の吊支部材６０は、本体支持枠５１に係合する基部６１と、商品等の収容物Ｍを吊止するフック部６２とを有する。基部６１は、上部が逆Ｕ字状に湾曲して両端が下方へ延設された板状に形成される。基部６１のフック部６２側の一端部６１ａ側は、他端部側（不図示）よりも長く形成される。吊支部材６０は、湾曲した基部６１の谷部を上支持杆５１２に掛けて本体支持枠５１に取り付けることができる。また、基部６１の長く形成された一端部６１ａ側の下端を吊支部材抑え枠５３内（下支持杆５１３と、２本の側杆５３１と、抑え杆５３２とより形成される空間）に挿入することができるため、上支持杆５１２に掛けられた吊支部材６０の全体が上支持杆５１２を軸として不用意に回動することを抑えることができる。
【００２７】
フック部６２は、基部６１の前面から前方へ向かって延設された棒状に形成される。フック部６２の前端は、やや上方へ向かって傾斜するように屈曲している。使用者は、収容物Ｍに形成された図示しない貫通孔等にフック部６２を挿通させて、収容物Ｍを吊支させることができる。フック部６２には、収容物Ｍを複数吊支させることができる。フック部６２の前端が上方へ屈曲していることにより、収容物Ｍが不用意にフック部６２から抜けて脱落することが防止される。また、本実施形態では、前述のように基部６１の下端を吊支部材抑え枠５３内に挿入したため、フック部６２から収容物Ｍを引き抜く際に収容物Ｍの貫通孔がフック部６２に引っ掛かる等によって吊支部材６０が不用意に回動して上支持杆５１２から脱落することを低減できる。
【００２８】
ラベル支持枠５２には、ラベルレール８０を取り付けることができる。ラベルレール８０は、図１に示すように全体を略二つ折り状にした帯状に形成され、透光性を有する材料により形成することができる。ラベルレール８０は図１に示すように、上端及び下端を折り曲げ部として平板部を前後に重ねた２枚構造に形成される。ラベルレール８０は、内部に収容物Ｍの品名や価格等を記載したラベルを挿入することにより、収容物Ｍに関する情報を表示させることができる。また、ラベルレール８０の前板の上端縁の一部は、後方へ屈折しており、その屈折部分をラベル支持杆５２２に掛けることで、ラベルレール８０は吊支される。
【００２９】
以上、本実施形態の什器１０は、上下に配置した複数の枠体５０をずらして配置させたため、収容物Ｍ同士又は収容物Ｍと枠体５０との干渉を低減し、多くの収容物Ｍを収容させることができる。そして吊支部材６０を本体支持枠５１に複数配置させることにより、吊支部材６０を左右方向に直線状に揃えて配置させ、各収容物Ｍの上端を一列に揃えることができるため、収容物Ｍの大きさが異なっていても陳列の見栄えを向上させることができる。
【００３０】
また、枠体５０は、吊支部材６０が配置される本体支持枠５１の上方に、ラベルレール８０を取り付けるラベル支持枠５２を設けた。したがって、収容物Ｍを左右一列に揃えて配置するとともに、各収容物Ｍの情報を上方位置に表示させることができ、陳列の見栄えを向上させることができる。
【００３１】
また、ラベル支持枠５２の側杆５２１を側面視略Ｌ字状に形成して、ラベル支持杆５２２を本体支持枠５１よりも前方に位置するように構成した。従って、上段の棚枠７０Ａに収容された収容物Ｍ１を、下段の棚枠７０Ｂの本体支持枠５１の上方であって、ラベル支持杆５２２の後方に配置させることもできるため、図２の正面視においてラベルレール８０の位置が収容物Ｍ１の下端と重なっても、収容物Ｍ１と枠体５０が干渉することを防止することができる。よって、各棚枠７０を上下に詰めて配置することができ、収容物Ｍ１，Ｍ２の収容率を向上させることができる。
【００３２】
また、図２の正面視においてラベルレール８０の位置が収容物Ｍの下端と重なるように棚枠７０を配置すると、左右方向に配置される収容物Ｍの長さのばらつきを目立たなくして、全体として陳列の見栄えを向上させることができる。
【００３３】
また、棚枠７０を上下に複数配置させ、下側の棚枠７０Ｂのステー４０を、上側の棚枠７０のステー４０よりも前方に長く形成したため、上方斜め前方から什器１０を視認する使用者にとって、什器１０に配置された各収容物Ｍを容易に一覧することができる。
【００３４】
以上、本考案の実施形態を説明したが、本考案は本実施形態によって限定されることは無く、種々の形態で実施することができる。例えば、基部２０は、什器１０全体を載置面に載置可能な他の形状としたり、壁面や天井等に対して固定する他の構成とすることができる。
【００３５】
また、本実施形態では、什器１０が枠体５０及びステー４０の棚枠７０を２組み配置した例について示したが、什器１０は枠体５０及びステー４０の棚枠７０を１組又は３組以上配置する構成としてもよい。このとき、下側に配置される棚枠７０であるほど、棚枠７０のステー４０は、前方に長く形成することができる。
【００３６】
また、柱部３０は、略四角柱状に形成された例について示したが、枠体５０を取り付け可能な形状であれば他の柱状とすることができる。また、柱部３０の代わりに係合部４３Ａ，４３Ｂを係合可能な長孔を有する板部材としてもよい。
【００３７】
また、本実施形態において、長孔３１は、上下方向に１列となるように配置される例について示したが、２列となるように配置させてもよい。これにより、一列目の長孔３１と二列目の長孔３１に柱部３０には、異なるステー４０を係合することができるため、枠体５０を左右方向に隣り合うように配置しながら、異なる枠体５０に対応する柱部３０を共通して使用することができる。
【００３８】
また、本実施形態では、図２等において、吊支部材抑え枠５３が側杆５３１を２本有する例について示したが、下支持杆５１３と抑え杆５３２を接続する側杆５３１は３本以上の複数備えてもよい。
【符号の説明】
【００３９】
１０      什器                          ２０      基部
３０      柱部                          ３１      長孔
４０      ステー                        ４０Ａ１  ステー
４０Ａ２  ステー                        ４０Ｂ１  ステー
４０Ｂ２  ステー                        ４１      本体部
４２      固定部                        ４２ａ    先端縁
４２ｂ    角部                          ４２ｃ    角部
４３      係合部                        ４３Ａ    係合部
４３Ｂ    係合部
５０      枠体                          ５１      本体支持枠
５２      ラベル支持枠                  ５３      枠
６０      吊支部材                      ６１      基部
６１ａ    一端部                        ６２      フック部
７０      棚枠                          ７０Ａ    棚枠
７０Ｂ    棚枠                          ８０      ラベルレール
３０１    前面                          ３０２    内面
４１１    上端縁                        ４１２    後端縁
４１３    鍔部                          ４１３ａ  後端縁
４１３ｂ  前端縁                        ４２１    貫通孔
４３１    上端縁                        ４３２    先端縁
４３３    切欠部                        ４３３ａ  内縁
４３３ｂ  傾斜部                        ４３３ｃ  内縁
５１１    被固定部                      ５１１ａ  長孔
５１２    上支持杆                      ５１３    下支持杆
５１４ａ  接続杆                        ５１４ｂ  接続杆
５１４ｃ  接続杆                        ５１５    中間支持杆
５２１    側杆                          ５２２    ラベル支持杆
５３１    側杆                          ５３２    抑え杆
５４１    枠体
Ｍ（Ｍ１，Ｍ２）  収容物                Ｓ１      締結具
【図１】
0003218002.tif 000003
【図２】
0003218002.tif 000004
【図３】
0003218002.tif 000005
【図４】
0003218002.tif 000006
【図５】
0003218002.tif 000007